(57)【特許請求の範囲】
【請求項１】
洗浄液を貯留する洗浄槽に設置され、超音波振動してその振動を前記洗浄液に与える超音波発生手段と、
前記超音波発生手段を超音波振動させる高周波信号を供給する信号発生手段と、
前記超音波発生手段の電流及び電圧を検出する電流・電圧検出手段と、
前記高周波信号の電力設定値を固定値に設定する操作を受け付ける操作手段と、
前記信号発生手段が前記超音波発生手段に供給する高周波信号の周波数を規則的に変化させるスイープ処理時における電流制限値を記憶する記憶手段と、
前記操作手段が電力設定値を固定値に設定する操作を受け付けると、前記スイープ処理時に、前記電流・電圧検出手段が検出した一定期間毎の電流の最大値と、前記記憶手段から読み出した電流制限値と、を比較し、その結果に応じて前記信号発生手段が前記超音波発生手段に供給する高周波信号の周波数を変更する制御手段と、
を備えた超音波洗浄装置。
【請求項２】
洗浄液を貯留する洗浄槽に設置され、超音波振動してその振動を前記洗浄液に与える超音波発生手段と、
前記超音波発生手段を超音波振動させる高周波信号を供給する信号発生手段と、
前記超音波発生手段の電流及び電圧を検出する電流・電圧検出手段と、
前記信号発生手段が前記超音波発生手段に供給する高周波信号の周波数を規則的に変化させるスイープ処理時において、前記高周波信号の周波数の変化幅であるスイープ幅に対する電力設定値の上限値を記憶する記憶手段と、
前記スイープ幅を固定値に設定する操作を受け付ける操作手段と、
前記操作手段がスイープ幅を固定値に設定する操作を受け付けると、前記スイープ処理時に、前記電流・電圧検出手段が検出した電流及び電圧から算出した電力の最大値と、前記記憶手段から読み出した設定されたスイープ幅に対する電力設定値と、を比較し、その結果に応じて前記信号発生手段が前記超音波発生手段に供給する高周波信号の電力設定値を変更する制御手段と、
を備えた超音波洗浄装置。
【請求項３】
前記制御手段は、前記スイープ処理の開始時に、前記高周波信号の周波数を規則的に変化させる周波数幅であるスイープ幅を最小値に設定し、前記スイープ幅の設定値まで前記スイープ幅を一定量ずつ増加させる請求項１または２に記載の超音波洗浄装置。
【請求項４】
前記制御手段は、前記スイープ処理の開始前に、前記信号発生手段が前記超音波発生手段に供給する高周波信号の周波数を一定量ずつ変更させて、前記電流・電圧検出手段が検出した電流値が最小値になる周波数を検出し、前記スイープ処理には、この周波数を中心周波数として高周波信号の周波数を規則的に変化させる請求項１乃至３のいずれかに記載の超音波洗浄装置。
【請求項５】
前記制御手段は、前記スイープ処理を一定時間行う毎に、前記スイープ処理を中断して、前記信号発生手段が前記超音波発生手段に供給する高周波信号の一定量ずつ周波数を変更させて、前記電流・電圧検出手段が検出した電流値が最小値になる周波数を検出し、この周波数を中心周波数に再設定して前記スイープ処理を再開する請求項１乃至４のいずれかに記載の超音波洗浄装置。
【発明の詳細な説明】
【技術分野】
【０００１】
この発明は、振動子から発生した超音波により洗浄液中の被洗浄物を洗浄する超音波洗浄装置に関する。
【背景技術】
【０００２】
従来、電子部品やプリント基板等の洗浄に超音波洗浄装置が用いられている。図１は、シングル運転時及びスイープ運転時に振動子に供給する信号の波形図である。従来の超音波洗浄装置には、図１（Ａ）に示すように、振動子の駆動周波数を固定して洗浄する運転（シングル運転と称する。）や、図１（Ｂ）に示すように、振動子の駆動周波数を一定周期で変動させる周波数変調運転（スイープ運転と称する。）を行うものがあった（例えば、特許文献１参照。）。
【特許文献１】特開２００６−３１４８７２
【発明の開示】
【発明が解決しようとする課題】
【０００３】
超音波洗浄装置では、被洗浄物を洗浄中に洗浄液の温度が変化したり被洗浄物の量が変化したりすると、振動子の共振周波数が変化し、これに伴い振動子に流れる電流（電力）が変化する。また、超音波洗浄装置では、洗浄槽の対面からの反射や洗浄液の種類によっても、振動子の共振周波数が変化し、これに伴い振動子に流れる電流（電力）が変化する。そのため、従来の超音波洗浄装置では、以下のような不具合が生じていた。
【０００４】
図２は、振動子の共振周波数と振動子に流れる電流との関係の測定結果を示すグラフである。図２には、超音波洗浄装置の電力設定値が２０％、２５％、３０％、及び３５％の場合を示している。スイープ運転時に振動子の共振周波数の中心値２５ｋＨｚに設定した場合、図２から、振動子に流れる電流がほぼ中心周波数で最小値となり、中心周波数から周波数を変化させるのに伴い、振動子に流れる電流が放物線状に変化することがわかる。また、電力設定値を大きくするほど、放物線の傾きが大きくなることがわかる。さらに、振動子に供給する信号の周波数と中心周波数の差が一定値以上になると、振動子に流れる電流が放物線状とは異なる形状で変化することがわかる。
【０００５】
振動子の共振周波数−電流特性はこのようであり、従来の超音波洗浄装置では、洗浄液の温度変化等により振動子の共振周波数が変化すると、スイープ運転時には振動子に供給する信号の中心周波数はその変化した周波数となるが、信号の周波数の変動幅（スイープ幅）は一定なので、スイープ１周期の電流の最大値が大きくなる。そのため、超音波洗浄装置の起動時や運転中に、予め設定している制限電流を超える電流が流れてしまい、被洗浄物の洗浄中に超音波洗浄装置が停止したり、振動子が故障したりすることがあった。また、従来の超音波洗浄装置において、被洗浄物の洗浄中に超音波洗浄装置が停止しないようにするためには、電源容量を非常に大きくしなければ、制限電流値を大きくすることができなかった。
【０００６】
そこで、この発明は、電源容量を大きくすることなく、また被洗浄物の洗浄が停止することなく、安定して洗浄を行うことができる超音波洗浄装置を提供することを目的とする。
【課題を解決するための手段】
【０００７】
（１）洗浄液を貯留する洗浄槽に設置され、超音波振動してその振動を前記洗浄液に与える超音波発生手段と、
前記超音波発生手段を超音波振動させる高周波信号を供給する信号発生手段と、
前記超音波発生手段の電流及び電圧を検出する電流・電圧検出手段と、
前記信号発生手段が前記超音波発生手段に供給する高周波信号の周波数を規則的に変化させるスイープ処理時における電流制限値を記憶する記憶手段と、
前記高周波信号の電力設定値を固定値に設定する操作を受け付ける操作手段と、
前記操作手段が電力設定値を固定値に設定する操作を受け付けると、前記スイープ処理時に、前記電流・電圧検出手段が検出した一定期間毎の電流の最大値と、前記記憶手段から読み出した電流制限値と、を比較し、その結果に応じて前記信号発生手段が前記超音波発生手段に供給する高周波信号の周波数を変更する制御手段と、
を備えたことを特徴とする。
【０００８】
超音波洗浄装置では、被洗浄物を洗浄中に洗浄液の温度が変化したり被洗浄物の位置や量が変化したりすると、超音波発生手段の共振周波数が変化し、これに伴い超音波発生手段に流れる電流が変化する。また、超音波洗浄装置では、洗浄槽の対面からの反射や洗浄液の種類によっても、超音波発生手段の共振周波数が変化し、これに伴い超音波発生手段に流れる電流が変化する。超音波洗浄装置では、上記のように超音波発生手段に流れる電流が変化して電流制限値を越えると洗浄動作を停止してしまう。この構成においては、超音波洗浄装置は、スイープ処理時に電力設定値を固定されると、電流・電圧検出手段が検出した電流に基づいて、超音波発生手段に供給する高周波信号の周波数を変更して超音波発生手段に流れる電流の最大値を電流制限値以下にする。したがって、スイープ処理時に、洗浄液の温度や被洗浄物の量等の条件が変化しても、超音波発生手段に流れる電流が制限電流値を超えることがなくなり、従来の超音波洗浄装置のように洗浄動作が停止するのを防止できる。
【０００９】
（２）洗浄液を貯留する洗浄槽に設置され、超音波振動してその振動を前記洗浄液に与える超音波発生手段と、
前記超音波発生手段を超音波振動させる高周波信号を供給する信号発生手段と、
前記超音波発生手段の電流及び電圧を検出する電流・電圧検出手段と、
前記信号発生手段が前記超音波発生手段に供給する高周波信号の周波数を規則的に変化させるスイープ処理時において、前記高周波信号の周波数の変化幅であるスイープ幅に対する電力設定値の上限値を記憶する記憶手段と、
前記スイープ幅を固定値に設定する操作を受け付ける操作手段と、
前記操作手段がスイープ幅を固定値に設定する操作を受け付けると、前記スイープ処理時に、前記電流・電圧検出手段が検出した電流及び電圧から算出した電力の最大値と、前記記憶手段から読み出した設定されたスイープ幅に対する電力設定値と、を比較し、その結果に応じて前記信号発生手段が前記超音波発生手段に供給する高周波信号の電力設定値を変更する制御手段と、
を備えたことを特徴とする。
【００１０】
超音波洗浄装置では、被洗浄物を洗浄中に洗浄液の温度が変化したり被洗浄物の量が変化したりすると、超音波発生手段の共振周波数が変化し、これに伴い超音波発生手段に流れる電流が変化する。また、超音波洗浄装置では、洗浄槽の対面からの反射や洗浄液の種類によっても、超音波発生手段の駆動周波数が変化し、これに伴い超音波発生手段に流れる電流が変化する。そのため、超音波発生手段に供給する高周波信号の電力が変化する。超音波洗浄装置では、上記のように電力が変化して電力設定値を越えると洗浄動作を停止してしまう。この構成においては、超音波洗浄装置は、スイープ幅を固定された場合は、電流・電圧検出手段が検出した電流と電圧から電力値を算出し、この電力値に基づいて、超音波発生手段に供給する高周波信号の電力設定値を変更して、スイープ幅に対する電力設定値の上限値以下にする。したがって、スイープ処理時に、洗浄液の温度や被洗浄物の量等の条件が変化しても、超音波発生手段に供給する高周波信号の電力が電力設定値を超えることがなくなり、洗浄動作が停止するのを防止できる。
【００１１】
（３）前記制御手段は、前記スイープ処理の開始時に、前記高周波信号の周波数を規則的に変化させる周波数幅であるスイープ幅を最小値に設定し、前記スイープ幅の設定値まで前記スイープ幅を一定量ずつ増加させることを特徴とする。
【００１２】
スイープ処理の開始時に、洗浄液の温度や被洗浄物の量等の条件により超音波発生手段の共振周波数が変化して超音波発生手段に流れる電流や超音波発生手段の電力が変化した状態で、スイープ幅を設定値にしてスイープ処理を開始すると、超音波発生手段に流れる電流が制限値を超えたり、電力が設定値を越えたりして、洗浄動作が停止する可能性がある。この構成においては、スイープ処理の開始時に、スイープ幅を最小値からスイープ幅の設定値までスイープ幅を一定量ずつ増加させる。したがって、スイープ処理の開始時に、超音波発生手段に流れる電流が制限電流値を超えたり、超音波発生手段に供給する電力が電力設定値を超えたりすることがなく、洗浄動作が停止するのを防止できる。
【００１３】
（４）前記制御手段は、前記スイープ処理の開始前に、前記信号発生手段が前記超音波発生手段に供給する高周波信号の周波数を一定量ずつ変更させて、前記電流・電圧検出手段が検出した電流値が最小値になる周波数を検出し、前記スイープ処理には、この周波数を中心周波数として高周波信号の周波数を規則的に変化させることを特徴とする。
【００１４】
スイープ処理の開始時に、洗浄液の温度や被洗浄物の量等の条件により超音波発生手段の共振周波数が変化して超音波発生手段に流れる電流が変化した状態でスイープ処理を開始すると、スイープ幅の中心がずれているために超音波発生手段に流れる電流が制限電流値を超えたり、超音波発生手段に供給する電力が電力設定値を超えたりして、洗浄動作が停止する可能性がある。この構成においては、超音波洗浄装置は、スイープ処理の開始前に超音波発生手段に流れる電流値が最小値になる周波数を検出し、この周波数を中心周波数としてスイープ処理を行う。したがって、洗浄液の温度や被洗浄物の量等の条件により超音波発生手段の共振周波数が変化し、超音波発生手段に流れる電流が変化しても、スイープ処理の開始前に中心周波数を最小値に調整するので、スイープ処理時に超音波発生手段に流れる電流が制限電流値を超えたり、超音波発生手段に供給する電力が電力設定値を超えたりすることがなく、洗浄動作が停止するのを防止できる。
【００１５】
（５）前記制御手段は、前記スイープ処理を一定時間行う毎に、前記スイープ処理を中断して、前記信号発生手段が前記超音波発生手段に供給する高周波信号の一定量ずつ周波数を変更させて、前記電流・電圧検出手段が検出した電流値が最小値になる周波数を検出し、この周波数を中心周波数に再設定して前記スイープ処理を再開することを特徴とする。
【００１６】
この構成においては、超音波洗浄装置は、電流・電圧検出手段が検出した電流に基づいて、超音波発生手段に供給する高周波信号の周波数を変更して超音波発生手段に流れる電流を最小値に制御する。したがって、スイープ処理中に洗浄液の温度や被洗浄物の量等の条件が変化しても、超音波発生手段に流れる電流が最小になる周波数にスイープ処理の中心周波数を再設定するので、超音波発生手段に流れる電流が制限電流値を超えたり、超音波発生手段に供給する電力が電力設定値を超えたりすることがなく、洗浄動作の停止を防止できる。
【発明の効果】
【００１７】
この発明によれば、スイープ処理時に、洗浄液の温度や被洗浄物の量等の条件が変化しても、超音波発生手段に流れる電流が制限電流値を超えたり、超音波発生手段に供給する高周波信号の電力が電力設定値を超えたりすることがなくなり、従来の超音波洗浄装置のように洗浄動作が停止するのを防止できる。
【発明を実施するための最良の形態】
【００１８】
図３は、この発明の実施形態に係る超音波洗浄装置の概略構成を示すブロック図である。図３に示すように、超音波洗浄装置１は、発振器３と振動子５から構成される。発振器３は、全波整流回路１１、平滑コンデンサ１３、インバータ回路１５、整合回路１７、Ｖ・Ｉ検出回路１９、ＤＳＰモジュール（以下、ＤＳＰと称する。）２１、記憶部２３、表示部２５、及び操作部２７を備えている。また、振動子５は、洗浄液４３が貯留された（貯められた）洗浄槽４１の底部に設置されており、発振器３の整合回路１７に接続されている。
【００１９】
全波整流回路１１は、交流電源３１から供給された交流電圧を整流する。
【００２０】
平滑コンデンサ１３は、全波整流回路１１で整流された電圧を平滑化する。
【００２１】
インバータ回路１５は、ＤＳＰモジュール２１から出力された制御信号に応じて、スイッチングのタイミングを切り替えて、直流電圧を高周波交流電圧に変換する。
【００２２】
整合回路１７は、トランスＴと、整合用インピーダンス素子であるコイルＬｍとコンデンサＣｍとから成り、インバータ回路１５と振動子５との間にトランスＴを介して接続され両者のインピーダンスの整合をとり、トランスＴからの信号を振動子５に供給する。
【００２３】
振動子５は、整合回路１７から供給された信号（高周波信号）に応じて振動し、超音波を発生する。洗浄液４３は、振動子５が発した超音波により振動して、不図示の被洗浄物を洗浄する。
【００２４】
Ｖ・Ｉ検出回路１９は、整合回路１７から振動子５に供給する信号の電流及び電圧を検出する。また、Ｖ・Ｉ検出回路１９は、整合回路１７から振動子５に供給する信号の電流と電圧の位相差を検出する。
【００２５】
ＤＳＰ２１は、Ｖ・Ｉ検出回路１９が検出した電流及び電圧に基づいて、インバータ回路１５の不図示のスイッチング素子に対して、スイッチング制御を行うための制御信号を出力する。また、ＤＳＰ２１は、Ｖ・Ｉ検出回路１９が検出した、整合回路１７から振動子５に供給する信号の電流及び電圧、電流と電圧の位相差に基づいて、定電力制御を行う。
【００２６】
記憶部２３は、スイープ電流の制限値や、スイープ幅に対する電力設定値等のデータを記憶する。
【００２７】
表示部２５は、超音波洗浄装置１の状態等、ユーザに伝達する事項を表示する。
【００２８】
操作部２７は、複数のスイッチを備え、ユーザの操作を受け付ける。
【００２９】
超音波洗浄装置１は以上のような構成であり、ユーザは超音波洗浄装置１を動作させて、洗浄槽４１の洗浄液４３中に被洗浄物を投入（浸漬）することで、被洗浄物を洗浄できる。
【００３０】
次に、超音波洗浄装置１の動作について説明する。超音波洗浄装置１は、ソフトスタートモード、追尾モード、及びスイープモードの３つのモードのいずれかで動作する。図４は、超音波洗浄装置の各モードの関係を示す図、及びソフトスタートモードの動作を示すタイムチャートである。
【００３１】
超音波洗浄装置１は、ユーザの設定に応じて振動子に供給する信号の周波数を変動させないシングル運転、または振動子に供給する信号の周波数を一定周期で変動させるスイープ運転を行う。また、詳細な説明は割愛するが、洗浄槽中の空気を脱気するために振動子を断続的に振動させるショット運転を行うように設定することも可能である。
【００３２】
図４（Ａ）に示すように、シングル運転時には、超音波洗浄装置１はソフトスタートモード、追尾モードの順にモードを切り替える。
【００３３】
スイープ運転時には、超音波洗浄装置１は、ソフトスタートモード、追尾モード、スイープモードの順にモードを切り替える。また、超音波洗浄装置１は、スイープモードを一定時間行うと、追尾モードに切り替えて設定時間（例えば１秒間）経過すると、再度スイープモードを行う。
【００３４】
また、超音波洗浄装置１は、追尾モード及びスイープモードにおいてユーザにより電力設定値が変更されると、ソフトスタートモードに切り替える。そして、ソフトスタートモードが完了すると、追尾モードやスイープモードに切り替える。
【００３５】
１．ソフトスタートモード
このモードでは、超音波洗浄装置１の始動時や電力設定の変更時に、電力設定値（出力設定値）を徐々に大きくする。このモードを行うことで、従来のように、起動時に急に装置が停止することを防止でき、確実に装置を動作させることができる。
【００３６】
超音波洗浄装置１の電力設定値の調整範囲は、一例として２５％〜１００％である。図４（Ｂ）には、ユーザが電力設定値を３５％に設定した場合を示している。
【００３７】
超音波洗浄装置１のＤＳＰ２１は、操作部２７で運転指示を受け付けたことを検出すると、まず電力設定値を調整範囲の最小値である２５％に設定する。そして、制御待ち時間（図では５０ｍｓ）が経過後に、追尾制御を一定時間（図では１５０ｍｓ）行う。ここで、電力設定値の変更直後は電流が不安定なので、ソフトスタートモードでは電流が安定するまでの時間として制御待ち時間を設定している。追尾制御とは、振動子５に供給する信号の周波数を少しずつ変更して振動子５に流れる電流を最小値にする制御である。
【００３８】
図２に基づいて説明したように、振動子５の周波数−電流特性は放物線状であり、デフォルトの周波数（以下、初期値と称する。）近傍の値が最小値になることが実験によりわかっている。そこで、ソフトスタートモードの追尾制御では、まず振動子５に供給する信号の周波数を初期値（例えば、２５ｋＨｚ）とし、信号の周波数を０．１ｋＨｚ上げたとき（例えば２５．１ｋＨｚ）の電流値と、信号の周波数を０．１ｋＨｚ下げたとき（例えば２４．９ｋＨｚ）の電流値と、を比較して、両電流値の差に応じて周波数を変更する。すなわち、両電流値の差が０の場合には、周波数を変更せずに初期値に設定する。また、両電流値の差が正数か負数かに応じて周波数を上げ下げする。また、差が小さいほど周波数の変更量を小さくし、差が大きいほど周波数の変更量を大きくする。この処理を行う際には、１つまたは複数の閾値を予め設定しておき、両電流値の差の値と閾値とを比較する。
【００３９】
信号周波数を変更した場合には、続いてその信号周波数を０．１ｋＨｚ上げたときの電流値と０．１ｋＨｚ下げたときの電流値とを比較して、上記のように差の値に応じて周波数を変更する。このような処理を繰り返して振動子５に供給する信号の電流を最小値にする。
【００４０】
なお、追尾制御において、電流最小値を得る前に設定時間（例えば１５０ｍｓ）が経過した場合には、その時点でこの処理を停止し、その時点で得られた電流値を最小値とする。
【００４１】
得られた電流値（最小値）が予め設定されている制限電流値未満の場合には、電力設定値を５％ずつ上昇させて、同様の処理を行う。
【００４２】
一方、追尾制御の際に、振動子５の電流値が制限電流値以上の場合には、ユーザの設定に応じて、ＤＳＰ２１は、表示部２５にエラーである旨を表示させてユーザに電力設定値の変更を促すか、または表示部２５にエラー表示をさせずに電力設定値を振動子５の電流値が制限電流値未満である最大値に設定する。
【００４３】
２．追尾モード
このモードでは、振動子に流れる電流を監視して、この電流が最小値になるように、上記の追尾制御を常時行う。このモードを行うことで、振動子に流れる電流が制限電流値を超えることがなくなり、洗浄動作の停止を防止できる。また、スイープ運転時には、振動子の周波数を最適な共振周波数に調整することができる。
【００４４】
シングル運転時には、ソフトスタートが終了後に、振動子に流れる電流を常時監視して、この電流が最小値になるように追尾制御を常時行う。
【００４５】
また、スイープ運転時には、ソフトスタートモードが完了してスイープモードを開始する前と、スイープモードを一定時間（例えば１０分間）行う毎に、追尾モードを設定時間（例えば１秒間）行って、振動子５に流れる電流が最小値となる中心周波数に調整する。
【００４６】
なお、超音波洗浄装置１は、追尾モード中に電力設定値の変更を受け付けた場合には、ソフトスタートモードに移行する。
【００４７】
３．スイープモード
このモードでは、図１（Ｂ）に示したように、振動子に供給する信号の周波数を一定周期で変動させる制御を行う。
【００４８】
ユーザは、スイープモードを設定する際に、スイープ幅優先処理と電力設定優先処理のいずれかを選択することが可能である。また、超音波洗浄装置１は、スイープ幅優先処理と電力設定優先処理のいずれが選択されても、スイープモードの開始時にスイープ幅ソフトスタート処理を行う。
【００４９】
図５は、スイープ周期とスイープ幅の関係を示すグラフ、スイープ幅と電力設定値の関係を示すグラフ、及び振動子に供給する高周波信号の周波数と電流の関係を示すグラフである。
【００５０】
図５（Ａ）に示すグラフに示すように、超音波洗浄装置１では、スイープ周期とスイープ幅を設定可能である。例えば、スイープ周期を５ｍｓ〜５０ｍｓの範囲で、スイープ幅を０．５ｋＨｚ〜３．５ｋＨｚの範囲で設定できる。
【００５１】
超音波洗浄装置１では、図５（Ｂ）に示すように、スイープ幅と電力設定値（出力設定値）の関係が設定されており、スイープ幅優先処理が選択されてスイープ幅が例えば２．０ｋＨｚに設定された場合には、スイープ幅ソフトスタート処理により、スイープ幅を２．０ｋＨｚまで０．１ｋＨｚずつ大きくしていく。
【００５２】
ａ．スイープ幅ソフトスタート処理
超音波洗浄装置１のＤＳＰ２１は、ソフトスタートモード、追尾モードに続いてスイープモードを開始する。スイープモードの開始時には、上記のようにスイープ幅ソフトスタート処理を行う。スイープ幅ソフトスタート処理は、スイープ幅を設定値まで一定量ずつ（例えば０．１ｋＨｚずつ）増加させていく処理である。
【００５３】
ｂ．電力設定優先処理
超音波洗浄装置１は、電力設定優先処理が設定された場合には、電力設定値をユーザにより設定された値に固定し、振動子５に供給する信号の周波数のスイープ幅（変化幅）を変更する。これにより、スイープ処理時に、洗浄液の温度や被洗浄物の量等の条件が変化しても、超音波発生手段に供給する高周波信号の電力が電力設定値を超えることがなくなり、洗浄動作が停止するのを防止できる。
【００５４】
超音波洗浄装置１では、電力設定優先処理が選択されて電力設定値が例えば６５％に設定された場合には、スイープ幅ソフトスタート処理により、スイープ幅を０．１ｋＨｚずつ大きくしていく。ここで、図５（Ｂ）に示したグラフでは、電力設定値が６５％のときには、スイープ幅は２．０ｋＨｚであるが、前記のように、洗浄液の種類や液温等の諸条件によりスイープ幅の上限が変化する。そのため、超音波洗浄装置１では、電力設定優先処理が選択された場合は、振動子５に供給する信号の電流及び電圧を監視して、電力設定値を６５％となるように定電力制御を行いながら、スイープ幅ソフトスタート処理により図５（Ｃ）に示すようなスイープ幅を０．１ｋＨｚずつ大きくして、電力設定値が６５％を越えないようにスイープ幅を調整する。
【００５５】
次に、電力設定優先処理が設定された場合に、運転可能なスイープ幅を求める処理について、フローチャートに基づいて説明する。図６は、電力設定優先処理の動作を説明するためのフローチャートである。この処理の際には、超音波洗浄装置１は、電力設定値がユーザにより設定された値になるように定電力制御を行う。
【００５６】
超音波洗浄装置１のＤＳＰ２１は、スイープモードを開始すると、スイープ周期１周期におけるピーク値Ｉｓを検出して、この値と予め設定されたスイープ電流の制限値Ｉｓｒとを比較する（ｓ１）。ここで、スイープ幅ｆｄの初期値を０とし、スイープ幅の増分または減分ａを０．１ｋＨｚとする。
【００５７】
ＤＳＰ２１は、ピーク値Ｉｓが制限値Ｉｓｒ以下の場合には（ｓ１：Ｎ）、スイープ幅ｆｄを０．１ｋＨｚ増加させる（ｓ２）。そして、スイープ幅ｆｄとスイープ幅の設定値Δｆとを比較する（ｓ３）。
【００５８】
ＤＳＰ２１は、スイープ幅ｆｄが設定値Δｆよりも大きい場合には（ｓ３：Ｙ）、スイープ幅ｆｄを設定値Δｆに設定する（ｓ４）。そして、ステップｓ１以降の処理を行う。
【００５９】
一方、ステップｓ３においてスイープ幅ｆｄが設定値Δｆ以下の場合には、スイープ幅ｆｄを変更せずに、続いてステップｓ１以降の処理を行う。
【００６０】
また、ステップｓ１において、ピーク値Ｉｓが制限値Ｉｓｒを越える場合には（ｓ１：Ｙ）、スイープ幅ｆｄを０．１ｋＨｚ減少させる（ｓ５）。そして、ステップｓ１以降の処理を行う。
【００６１】
ｃ．スイープ幅優先処理
超音波洗浄装置１は、スイープ幅優先処理が設定された場合には、スイープ幅をユーザにより設定された値に固定し、振動子５に供給する高周波信号の電力設定値を変更する。これにより、スイープ処理時に、洗浄液の温度や被洗浄物の量等の条件が変化しても、超音波発生手段に供給する高周波信号のスイープ幅を固定しても、振動子５に流れる電流が電流制限値を超えることがなくなり、洗浄動作が停止するのを防止できる。
【００６２】
超音波洗浄装置１では、スイープ幅優先処理が選択されてスイープ幅が例えば２．０ｋＨｚに設定された場合には、スイープ幅ソフトスタート処理により、スイープ幅を０．１ｋＨｚずつ大きくしていく。ここで、図５（Ｂ）に示したグラフでは、スイープ幅が２．０ｋＨｚのときには、電力設定値が６５％であるが、前記のように、洗浄液の種類や液温等の諸条件により電力設定値の上限が変化する。そのため、超音波洗浄装置１では、スイープ幅優先処理が選択された場合は、スイープ幅が設定値（例えば２．０ｋＨｚ）になると、電力設定値を変更させて、スイープ幅を設定値に保つ。また、超音波洗浄装置１は、変更した電力設定値となるように、定電力制御を行う。
【００６３】
次に、スイープ幅優先処理が設定された場合に、運転可能なスイープ幅を求める処理について、フローチャートに基づいて説明する。図７は、スイープ幅優先処理の動作を説明するためのフローチャートである。
【００６４】
超音波洗浄装置１のＤＳＰ２１は、スイープモードを開始すると、スイープ周期１周期におけるピーク値Ｉｓを検出して、この値と予め設定されたスイープ電流の制限値Ｉｓｒとを比較する（ｓ１１）。ここで、スイープ幅ｆｄの初期値を０とし、スイープ幅の増分を０．１ｋＨｚとする。
【００６５】
ＤＳＰ２１は、ピーク値Ｉｓが制限値Ｉｓｒ以下の場合には（ｓ１１：Ｎ）、スイープ幅ｆｄを０．１ｋＨｚ増加させる（ｓ１２）。そして、スイープ幅ｆｄとスイープ幅の設定値Δｆとを比較する（ｓ１３）。
【００６６】
ＤＳＰ２１は、スイープ幅ｆｄが設定値Δｆよりも大きい場合には（ｓ１３：Ｙ）、スイープ幅ｆｄを設定値Δｆに設定する（ｓ１４）。そして、ステップｓ２１以降の処理を行う。
【００６７】
一方、ステップｓ１３においてスイープ幅ｆｄが設定値Δｆ以下の場合には、スイープ幅ｆｄを変更せずに、続いてステップｓ１１以降の処理を行う。
【００６８】
また、ステップｓ１において、ピーク値Ｉｓが制限値Ｉｓｒを越える場合には（ｓ１１：Ｙ）、スイープ幅ｆｄを０．１ｋＨｚ減少させる（ｓ１５）。そして、ステップｓ１１以降の処理を行う。
【００６９】
ＤＳＰ２１は、ステップｓ１４に引き続いて、スイープ周期１周期におけるピーク値Ｉｓを検出して、この値と予め設定されたスイープ電流の制限値Ｉｓｒとを比較する（ｓ２１）。ここで、電力設定値の増分を０．１ｋＨｚとする。
【００７０】
ＤＳＰ２１は、ピーク値Ｉｓが制限値Ｉｓｒ以下の場合には（ｓ２１：Ｎ）、電力設定値を１％増加させると、設定されたスイープ幅に対する電力設定値を越えるか否かを判断する（ｓ２２）。電力設定値を１％増加させると、設定されたスイープ幅に対する電力設定値を越える場合には（ｓ２２：Ｙ）、電力設定値を変更せずにそのまま値に保持する（ｓ２３）。そして、ステップｓ２１以降の処理を再度行う。
【００７１】
一方、電力設定値を１％増加させても、設定されたスイープ幅に対する電力設定値を越えない場合には（ｓ２２：Ｎ）、電力設定値を１％増加させる。そして、ステップｓ２１以降の処理を再度行う（ｓ２４）。
【００７２】
また、ステップｓ２１において、ピーク値Ｉｓが制限値Ｉｓｒを越える場合には（ｓ２１：Ｙ）、電力設定値を１％減少させる（ｓ２５）。そして、ステップｓ２１以降の処理を再度行う。
【００７３】
なお、超音波洗浄装置１は、スイープモード中に電力設定値の変更を受け付けた場合には、ソフトスタートモードに移行する。
【００７４】
以上のように本発明の超音波洗浄装置では、スイープ処理時に、洗浄液の温度や被洗浄物の量等の条件が変化しても、超音波発生手段に流れる電流が制限電流値を超えたり、超音波発生手段に供給する高周波信号の電力が電力設定値を超えたりすることがなくなり、従来の超音波洗浄装置のように洗浄動作が停止するのを防止できる。
【図面の簡単な説明】
【００７５】
【図１】シングル運転時及びスイープ運転時に振動子に供給する信号の波形図である。
【図２】振動子の共振周波数と振動子に流れる電流との関係の測定結果を示すグラフである。
【図３】この発明の実施形態に係る超音波洗浄装置の概略構成を示すブロック図である。
【図４】超音波洗浄装置の各モードの関係を示す図、及びソフトスタートモードの動作を示すタイムチャートである。
【図５】スイープ周期とスイープ幅の関係を示すグラフ、スイープ幅と電力設定値の関係を示すグラフ、及び振動子に供給する高周波信号の周波数と電流の関係を示すグラフである。
【図６】電力設定優先処理の動作を説明するためのフローチャートである。
【図７】スイープ幅優先処理の動作を説明するためのフローチャートである。
【符号の説明】
【００７６】
１…超音波洗浄装置    ３…発振器    ５…振動子    １１…全波整流回路    １３…平滑コンデンサ    １５…インバータ回路    １７…整合回路    １９…Ｖ・Ｉ検出回路    ２１…ＤＳＰモジュール    ２３…記憶部    ２５…表示部    ２７…操作部    ３１…交流電源    ４１…洗浄槽    ４３…洗浄液
【図１】
0004997123.tif 000002
【図２】
0004997123.tif 000003
【図３】
0004997123.tif 000004
【図４】
0004997123.tif 000005
【図５】
0004997123.tif 000006
【図６】
0004997123.tif 000007
【図７】
0004997123.tif 000008